(57)【要約】【課題】粘着剤テープ上に付着させた粘着剤の糊切れの発生を抑制する。【解決手段】弱粘着性を有する粘着剤が付着された粘着剤付着領域部５４ａと、粘着剤が付着されていない基材領域部５４ｂとが交互に繰り返して形成された粘着剤テープ５４をカセットケース５１内に収容し、この粘着剤テープ５４をカセットケース５１の先端開口部５１ｂから露出させた転写ローラ５５に巻き付けて構成した粘着剤転写具５０を用いて付箋紙などの印刷物を作成する際に、制御手段９０は、用紙Ｐの前端部Ｐｓ又は粘着剤テープ５４上の一つ以上の粘着剤付着領域部５４ａの最先端位置から押圧力切り換え位置５４ｎまでの間で転写ローラ５５に第１の押圧力Ｎ１を印加し、押圧力切り換え位置から用紙Ｐの後端部Ｐｅまでの間で転写ローラ５５に第１の押圧力Ｎ１よりも弱い第２の押圧力Ｎ２を印加するように押圧力切り換え手段８０を制御するメモプリンタ１０である。【選択図】図７
2015044599.tif 000002
【特許請求の範囲】
【請求項１】
一方の面側に粘着剤が付着された粘着剤テープを収容し、前記粘着剤テープの他方の面側から押圧する転写ローラを備えた粘着剤転写具と、
前記転写ローラと対向する位置に回転自在に設けられ、前記転写ローラに押圧力を印加しながら、該転写ローラとの間で印刷手段により印刷された用紙及び前記粘着剤テープを挟持搬送するプラテンローラと、を備えたメモプリンタであって、
印刷時に設定される前記用紙の搬送方向の前端部及び後端部の各位置情報を取得する第１の位置情報取得手段と、
前記粘着剤が付着された粘着剤付着領域部と、前記粘着剤が付着されていない基材領域部とが、前記一方の面上でテープの搬送方向に沿って交互に繰り返して形成された前記粘着剤テープを用いた際に、前記粘着剤付着領域部及び前記基材領域部のパターン位置情報を取得する第２の位置情報取得手段と、
前記プラテンローラの前記転写ローラへの前記押圧力を、第１の押圧力と、該第１の押圧力よりも弱い第２の押圧力とに選択的に切り換える押圧力切り換え手段と、
前記用紙への前記粘着剤の転写時に、前記第１，第２の位置情報取得手段からの各位置情報に基づいて前記粘着剤テープの前記基材領域部が前記用紙の後端部を含んで配置されるように該用紙の前端部側に対して前記プラテンローラの前記転写ローラへの押圧開始タイミングを制御し、且つ、前記用紙の後端部を含んで配置される前記基材領域部の直前の前記粘着剤付着領域部中に押圧力切り換え位置を設定した上で、前記押圧開始タイミングで前記転写ローラに前記第１の押圧力を印加し、前記押圧力切り換え位置から前記第２の押圧力に切り換えるように前記押圧力切り換え手段を制御する制御手段と、
を備えたことを特徴とするメモプリンタ。
【発明の詳細な説明】
【技術分野】
【０００１】
本発明は、ロール状に巻回した用紙にメモなどの情報を印刷手段により印刷した後に、印刷済みの用紙に剥離可能な粘着剤を粘着剤転写具の転写ローラにより転写し且つ粘着剤を転写した用紙を切断手段により所望の長さに切断して、付箋紙などの印刷物を作成できるメモプリンタに関する。
【背景技術】
【０００２】
一般的に、メモプリンタは、小型軽量で消費電力が小さく、メモとして残しておきたい情報などを印刷して、付箋紙などの形態で印刷物を作成するのに適している。
【０００３】
この種のメモプリンタを用いて、ロール状に巻回した用紙にメモなどの情報を印刷手段により印刷した後に、印刷済みの用紙に粘着剤（例えば、糊）を粘着剤転写具の転写ローラにより転写する際に、粘着剤（例えば、糊）への糊切れ性能や止着箇所の仕上がりを良好なものとし得る粘着製品及び転写具がある（例えば、特許文献１参照）。
【０００４】
上記特許文献１に開示された粘着製品では、ここでの図示を省略するが、帯状の基材（ベースフィルム）の表面上に粘着剤が間欠的に塗布されている。ここでは、粘着剤の塗布例として、直径１．５ｍｍのドット形状や、又は、１辺が１．３ｍの格子形状や、もしくは、幅が３ｍｍで０．２ｍｍ間隔の横スジ形状などいくつかの粘着剤層のパターンが開示されている。
【０００５】
一方、上記特許文献２に開示された転写具は、粘着剤を間欠的に塗布した感圧転写テープをカートリッジ内で巻き出しスプールと巻き取りスプールとに巻回させ、且つ、巻き出しスプールから引き出された感圧転写テープをカートリッジの先端開口部から露出させた転写ローラに巻き付けながら巻き取りスプールに巻き取られるように構成されている。
【０００６】
そして、転写具により感圧転写テープの粘着剤層を被転写物上に転写したときに、感圧転写テープ上では粘着剤が間欠的に塗布されていることにより、粘着剤層を紙類或いは他の部材上で所望の箇所に転写させる際に、粘着剤層に付着した粘着剤の糊切れ性能を向上させることができる旨が記載されている。
【０００７】
ここで、上記した粘着剤の糊切れ性能とは、感圧転写テープの粘着剤層を被転写物上に転写し、感圧転写テープを被転写物上に転写した粘着剤層から剥離する際、粘着剤の粘着力により粘着剤層が破断せず、感圧転写テープの粘着剤層と被転写物との間で粘着剤が糸を引いたように伸び、この伸びた部分が感圧転写テープ側又は被転写物側で団子状になる現象を言う。
【０００８】
そして、感圧転写テープ側で団子状が発生した場合には、次の転写時に団子状になった部分が被転写物上に転写されてしまう問題があり、一方、被転写物側で団子状が発生した場合には、被転写物が汚れ易くなるなどの問題がある。
【先行技術文献】
【特許文献】
【０００９】
【特許文献１】特開２００６−２０６６５７号公報
【発明の概要】
【発明が解決しようとする課題】
【００１０】
ところで、特許文献１に開示された粘着製品及び転写具をメモプリンタに適用して付箋紙などの印刷物を作成する場合に、前述したように、感圧転写テープ上で粘着剤が間欠的に塗布されていることにより、粘着剤層を付箋紙上で所望の箇所に転写させる際に糊切れ性能を向上させることができる。
【００１１】
ところで、特許文献１に開示された粘着製品における幅が３ｍｍで０．２ｍｍ間隔の横スジ形状の粘着剤層による技術的思想を踏まえた上で、この横スジ形状の粘着剤層を一部変更して、帯状のベースフィルム上に粘着剤（糊）が付着している部位と粘着剤（糊）が付着していない部位とをベースフィルムの搬送方向（長手方向）に沿ってそれぞれ間隔を広げて交互に形成した粘着剤テープをメモプリンタに適用したいとの要求があり、この要求に対して、被転写物上で糊切れが発生せず、且つ、被転写物上で粘着剤（糊）が付着している部位から転写時の頭出しができるメモプリンタが望まれている。
【００１２】
そこで、上記した粘着剤テープに対する要求を満たした上で、印刷済みの用紙上に粘着剤テープに付着させた粘着剤を粘着剤転写具の転写ローラにより良好に転写できるメモプリンタを提供することを目的とする。
【課題を解決するための手段】
【００１３】
本発明は上記課題に鑑みてなされたものであり、請求項１記載の発明は、一方の面側に粘着剤が付着された粘着剤テープを収容し、前記粘着剤テープの他方の面側から押圧する転写ローラを備えた粘着剤転写具と、
前記転写ローラと対向する位置に回転自在に設けられ、前記転写ローラに押圧力を印加しながら、該転写ローラとの間で印刷手段により印刷された用紙及び前記粘着剤テープを挟持搬送するプラテンローラと、を備えたメモプリンタであって、
印刷時に設定される前記用紙の搬送方向の前端部及び後端部の各位置情報を取得する第１の位置情報取得手段と、
前記粘着剤が付着された粘着剤付着領域部と、前記粘着剤が付着されていない基材領域部とが、前記一方の面上でテープの搬送方向に沿って交互に繰り返して形成された前記粘着剤テープを用いた際に、前記粘着剤付着領域部及び前記基材領域部のパターン位置情報を取得する第２の位置情報取得手段と、
前記プラテンローラの前記転写ローラへの前記押圧力を、第１の押圧力と、該第１の押圧力よりも弱い第２の押圧力とに選択的に切り換える押圧力切り換え手段と、
前記用紙への前記粘着剤の転写時に、前記第１，第２の位置情報取得手段からの各位置情報に基づいて前記粘着剤テープの前記基材領域部が前記用紙の後端部を含んで配置されるように該用紙の前端部側に対して前記プラテンローラの前記転写ローラへの押圧開始タイミングを制御し、且つ、前記用紙の後端部を含んで配置される前記基材領域部の直前の前記粘着剤付着領域部中に押圧力切り換え位置を設定した上で、前記押圧開始タイミングで前記転写ローラに前記第１の押圧力を印加し、前記押圧力切り換え位置から前記第２の押圧力に切り換えるように前記押圧力切り換え手段を制御する制御手段と、
を備えたことを特徴とするメモプリンタである。
【発明の効果】
【００１４】
請求項１記載のメモプリンタによると、粘着剤（糊）が付着された粘着剤付着領域部（糊付着領域部）と、粘着剤が付着されていない基材領域部とがテープの搬送方向に沿って交互に繰り返して形成された粘着剤テープ（テープ糊）を用いた際に、用紙の搬送方向の前端部及び後端部の各位置情報を取得する第１の位置情報取得手段と、
粘着剤テープ上の粘着剤付着領域部及び基材領域部のパターン位置情報を取得する第２の位置情報取得手段と、
プラテンローラの転写ローラへの押圧力を、第１の押圧力と、該第１の押圧力よりも弱い第２の押圧力とに選択的に切り換える押圧力切り換え手段と、
用紙への粘着剤の転写時に、第１，第２の位置情報取得手段からの各位置情報に基づいて粘着剤テープの基材領域部が用紙の後端部を含んで配置されるようにこの用紙の前端部側に対してプラテンローラの転写ローラへの押圧開始タイミングを制御し、且つ、用紙の後端部を含んで配置される基材領域部の直前の粘着剤付着領域部中に押圧力切り換え位置を設定した上で、押圧開始タイミングで転写ローラに第１の押圧力を印加し、押圧力切り換え位置から第２の押圧力に切り換えるように押圧力切り換え手段を制御する制御手段と、を備えている。
【００１５】
この結果、転写ローラにより強い第１の押圧力を印加されている粘着剤テープ上の一つ以上の粘着剤付着領域部では粘着剤テープを巻取リール側に送ることができ、且つ、用紙を下流側に搬送できる。
【００１６】
一方、押圧力切り換え位置で転写ローラへの押圧力を第１の押圧力からこれよりも弱い第２の押圧力に切り換えて、一つ以上の粘着剤付着領域部の最終端位置が転写ローラに至ると、用紙の後端部の近傍に配置した粘着剤テープ上の基材領域部が現れるために、ここで転写ローラの回転が停止する。これにより、粘着剤テープが巻取リールに送られないが、用紙の後端部を含んで配置される基材領域部の直前の粘着剤付着領域部の最終端位置の近傍で粘着剤が糸を引くことなく転写が終了するので糊切れを抑制できる。
【００１７】
また、粘着剤テープを用いて用紙上に粘着剤を転写するときに、センサを用いることなく、制御手段により用紙への粘着剤転写開始タイミングを設定できるので、粘着剤テープを次回使用する際にも、用紙の前端部側（頭出し位置）から粘着剤付着領域部を第１の押圧力で印加できるために、用紙上で粘着剤（糊）が付着している部位から転写時の頭出しができる。
【図面の簡単な説明】
【００１８】
【図１】本発明に係るメモプリンタに適用される粘着剤転写具の構成を示した断面図である。
【図２】（ａ），（ｂ）は第１転写パターンを採用した粘着剤テープを説明するための側面図，平面図である。
【図３】（ａ），（ｂ）は第２転写パターンを採用した粘着剤テープを説明するための側面図，平面図である。
【図４】本発明に係るメモプリンタの構成を示した構成図である。
【図５】本発明に係るメモプリンタにおいて、用紙への印刷時を示した平面図である。
【図６】（ａ）〜（ｃ）は図４に示した偏心カムによる粘着剤転写用プラテンローラ（第２プラテンローラ）の転写ローラへの押圧力を切り換える第１〜第３態様を拡大して示した図である。
【図７】用紙の裏面上に粘着剤テープ（テープ糊）の第１転写パターンを転写するときに、一つ以上の粘着剤付着領域部（糊付着領域部）の最終端位置近傍で生じる糊切れを抑制する動作を説明するための平面図である。
【図８】用紙の裏面上に粘着剤テープ（テープ糊）の第２転写パターンを転写するときに、一つの粘着剤付着領域部（糊付着領域部）の最終端位置近傍で生じる糊切れを抑制する動作を説明するための平面図である。
【発明を実施するための形態】
【００１９】
以下に本発明に係るメモプリンタの一実施例について、図１〜図８を参照して詳細に説明する。
【００２０】
本発明に係るメモプリンタは、ロール状に巻回した用紙にメモなどの情報を印刷手段により印刷した後に、印刷済みの用紙に剥離可能な粘着剤（糊）を粘着剤転写具（テープ糊カセット）の転写ローラにより転写し且つ粘着剤（糊）を転写した用紙を切断手段により所望の長さに切断して、付箋紙などの印刷物を作成するにあたって、帯状の基材（ベースフィルム）の一方の面上に弱粘着性を有する粘着剤（糊）が付着している粘着剤付着領域部と、粘着剤（糊）が付着していない基材領域部とを基材の搬送方向（長手方向）に沿ってそれぞれ間隔を広げて交互に形成した粘着剤テープを適用している。
【実施例】
【００２１】
上記した本発明に係るメモプリンタを説明する前に、このメモプリンタに適用される粘着剤転写具について、図１〜図３を用いて説明する。
【００２２】
図１は本発明に係るメモプリンタに適用される粘着剤転写具の構成を示している。また、図２は図１に示した粘着剤テープの第１転写パターンを示している。更に、図３は図１に示した粘着剤テープの第２転写パターンを示している。
【００２３】
図１に示す如く、本発明に係るメモプリンタ１０（図４）に適用される粘着剤転写具５０は、略透明な樹脂材を用いてカセットケース５１がメモプリンタ１０に対して着脱可能で、且つ、ユーザの人手で把持して使用できるように略卵形状に形成されている。
【００２４】
また、カセットケース５１内に回転自在に設けた供給リール５２と巻取リール５３とに粘着剤テープ５４が巻回して収容されている。
【００２５】
また、カセットケース５１の長手方向の先端部５１ａには先端開口部５１ｂが開口されて、この先端開口部５１ｂから転写ローラ５５が外部に向かって露出している。
【００２６】
また、カセットケース５１の下方には被係合部５１ｃが長手方向に沿って形成されており、この被係合部５１ｃは、後述する図４に示したメモプリンタ１０の筐体２０の外面２０ａに形成した転写具係合部２０ｂに着脱自在に係合されるようになっている。
【００２７】
そして、カセットケース５１内の供給リール５２と巻取リール５３との間に巻回した粘着剤テープ５４が転写ローラ５５に巻き付けられている。
【００２８】
この際、供給リール５２と同軸上で不図示の摩擦板を介して回転する大径ギア５２ａと、巻取リール５３と同軸上で不図示の逆転防止板を介して回転する小径ギア５３ａとを噛合させているので、転写ローラ５５に巻き付いたテープ糊５４を被転写物となる後述の用紙Ｐ（図４）に押し当てながら転写ローラ５５を回転させる動作に伴って、供給リール５２から不図示の摩擦板によりバックテンションをかけられて引き出されたテープ糊５４が転写ローラ５５を経由してこのテープ糊５４の長手方向に沿って搬送されて巻取リール５３に巻き取られるようになっている。
【００２９】
ここで、上記した粘着剤テープ５４は、図２（ａ），（ｂ）に示したように第１転写パターンを採用した粘着剤テープ５４−１、及び／又は、図３（ａ），（ｂ）に示したように第２転写パターンを採用した粘着剤テープ５４−２をメモプリンタ１０に適用している。
【００３０】
図２，図３に示した粘着剤テープ５４−１，５４−２の第１，第２転写パターンに対して共通点について説明すると、粘着剤テープ５４−１，５４−２では、テープ幅Ｗが狭く帯状のベースフィルムの一方の面側に、接着能力が比較的弱く何回も剥離できる弱粘着性を有する粘着剤が付着された粘着剤付着領域部５４ａと、粘着剤が付着されていない基材領域部５４ｂとがベースフィルムの搬送方向（長手方向）に沿って交互に繰り返して形成されていると共に、ベースフィルムの他方の面側は基材そのものが露出している。
【００３１】
また、粘着剤テープ５４−１，５４−２を用紙Ｐ上に転写するときに、用紙Ｐの搬送方向の前端部Ｐｓと、この前端部Ｐｓとは反対側の後端部Ｐｅとの間に設定される所望の長さＬ内に、粘着剤テープ５４−１，５４−２の粘着剤付着領域部５４ａが一つ以上配置されていると共に、後述するように一つ以上の粘着剤付着領域部５４ａの最終端位置近傍に生じる糊切れを抑制するために一つ以上の粘着剤付着領域部５４ａの最終端位置５４ｅ（図７，図８）と用紙Ｐの後端部Ｐｅとの間に基材領域部５４ｂが必ず配置されており、且つ、用紙Ｐの前端部Ｐｓ側は粘着剤付着領域部５４ａ又は基材領域部５４ｂから転写動作を開始するように配置されている。
【００３２】
一方、粘着剤テープ５４−１，５４−２に対して異なる点を説明すると、まず、粘着剤テープ５４−１では、図２（ａ），（ｂ）に示す如く、用紙Ｐ上に第１転写パターンを転写するときに、この第１転写パターンは用紙Ｐの搬送方向の所望の長さＬ内に粘着剤付着領域部５４ａと、基材領域部５４ｂとがテープの搬送方向（長手方向）に沿って交互に複数回繰り返すように配置されている。この際、粘着剤付着領域部５４ａの長さをＬ１、基材領域部５４ｂの長さをＬ２、Ｌ１≧Ｌ２とし、且つ、繰り返し数Ｎ（但し、Ｎは２以上の自然数）とすると、Ｌ≧Ｎ×（Ｌ１＋Ｌ２）が成立する。
【００３３】
次に、粘着剤テープ５４−２では、図３（ａ），（ｂ）に示す如く、用紙Ｐ上に第２転写パターンを転写するときに、この第２転写パターンは用紙Ｐの搬送方向の所望の長さＬ内に一つの粘着剤付着領域部５４ａと、一つ又は二つの基材領域部５４ｂだけで、複数回の繰り返しがないように配置されている。この際、粘着剤付着領域部５４ａの長さをＬ３、基材領域部５４ｂの長さをＬ４、Ｌ３＞Ｌ４としたときに、Ｌ≧Ｌ３＋Ｌ４が成立する。
【００３４】
また、上記した粘着剤テープ５４−１，５４−２の第１，第２転写パターンにおける粘着剤付着領域部５４ａの長さＬ１，Ｌ３及び基材領域部５４ｂの長さＬ２，Ｌ４は、後述するメモプリンタ１０（図４）内に設けた制御部９０のＲＡＭ９０ｃに格納されている。
【００３５】
尚、図２，図３に示した粘着剤テープ５４−１，５４−２の第１，第２転写パターンは、先に特許文献１で説明した幅が３ｍｍで０．２ｍｍ間隔の横スジ形状の粘着剤層パターンに対して、粘着剤付着領域部５４ａの長さＬ１，Ｌ３及び基材領域部５４ｂの長さＬ２，Ｌ４がそれぞれ大幅に長く形成されているので、後述するように、メモプリンタ１０（図４）内で粘着剤付着領域部５４ａ及び基材領域部５４ｂに対して転写ローラ５５への押圧力切り換え制御が可能となっている。
【００３６】
そして、上記した粘着剤転写具５０おいて、粘着剤テープ５４に付着させる粘着剤は、弱粘着性を有する材料であればいかなる材料でも良いが、ここでは粘着剤として糊を付着させたテープ糊を用いており、このテープ糊を収容したテープ糊カセットが適用されている。これに伴って、以下に述べるメモプリンタ１０（図４）において、粘着剤転写具５０をテープ糊カセット、粘着剤テープ５４をテープ糊、粘着剤テープ（テープ糊）５４上に形成された粘着剤付着領域部５４ａを糊付着領域部とそれぞれ呼称して同一符番を付して説明する。
【００３７】
ここで、本発明に係るメモプリンタについて、図４を用いて説明する。
【００３８】
図４は本発明に係るメモプリンタの構成を示している。
【００３９】
図４に示す如く、本発明に係るメモプリンタ１０は、小型軽量で消費電力が小さく、且つ、印刷情報やテープ糊情報などを入力するためのパソコンＰＣと接続可能になっている。
【００４０】
上記した本発明に係るメモプリンタ１０では、ロール状に巻回した未印刷の用紙Ｐが筐体２０内に形成したロール紙装填部２０ｃに回転自在に装填されている。また、ロール紙装填部２０ｃよりも用紙搬送方向の下流には、用紙Ｐにメモなどの情報を印刷する印刷手段３０と、印刷済みの用紙Ｐを所望の長さＬ（図２，図３，図７，図８）に切断する切断手段４０とがこの順に設置されている。
【００４１】
上記した印刷手段３０は、ロール状の用紙Ｐとして感熱紙を適用した場合に、用紙Ｐの搬送方向と直交する用紙幅方向に沿って長尺に形成されたサーマルヘッド３１と、第１パルスモータ３２に連結された不図示の第１減速ギア列を介して時計方向に回転すると共に用紙Ｐの幅方向に沿って長尺に形成された印刷用プラテンローラ（以下、第１プラテンローラと記す）３３と、用紙Ｐの前端部に必要に応じて形成された頭出しマークＭ（図５）を検出する光反射型センサ３４とからなる。
【００４２】
尚、通常、用紙Ｐへの頭出しは、用紙Ｐ上に印刷するときにパソコンＰＣからの印刷ジョブによって印刷開始基準位置が指定されるので、用紙Ｐの前端部に印刷開始基準位置を示す頭出しマークＭ（図５）を形成する必要がないが、頭出しマークＭ（図５）が予め形成された用紙Ｐを適用する場合に対応して光反射型センサ３４が設置されている。
【００４３】
そして、ロール紙装填部２０ｃに装填された未印刷の用紙（感熱紙）Ｐをサーマルヘッド３１と第１プラテンローラ３３との間で挟持しながらメモなどの情報を感熱印刷して用紙搬送方向の下流側に向かって搬送している。
【００４４】
この際、サーマルヘッド３１は第１プラテンローラ３３に対して不図示の接離手段を介して接離自在になっており、このサーマルヘッド３１を第１プラテンローラ３３から離間させたときに使用済みの用紙Ｐの交換が可能になっている。
【００４５】
尚、印刷手段３０は、ロール状の用紙Ｐとして普通紙を適用した場合に、サーマルヘッド３１に代えて不図示のインクジェットヘッドなどを用いて印刷することも可能である。
【００４６】
また、上記した切断手段４０は、印刷手段３０とテープ糊カセット５０との間に設置されており、第２モータ４１に連結された不図示の第２減速ギア列を介して移動する可動カッター４２と、この可動カッター４２と対向して固定設置された固定カッター４３とからなる。
【００４７】
そして、一対のカッター４２，４３により用紙Ｐの搬送方向の前端部と、後端部との間で印刷ジョブによって設定される所望の長さＬ（図２，図３，図７，図８）に切断している。この際、用紙Ｐの切断は、用紙Ｐに印刷した後、又は、印刷済みの用紙Ｐに糊を転写するときと同じタイミング、又は、用紙Ｐに糊を転写した後のタイミングのいずれかに設定されている。
【００４８】
また、切断手段４０よりも用紙搬送方向の下流側には、印刷済みの用紙Ｐに粘着剤（糊）を転写するための転写ローラ５５を有するテープ糊カセット５０と、後述する粘着剤転写用プラテンローラ（以下、第２プラテンローラと記す）７５の転写ローラ５５への接離動作に追従して移動し且つ用紙Ｐを介して第２プラテンローラ７５を押圧しながらこの第２プラテンローラ７５と協働して用紙Ｐを筐体２０の外に排出するように搬送する用紙搬送手段となる用紙搬送ローラ６０とが設置されている。
【００４９】
上記した粘着剤転写具５０は、カセットケース５１の下方に形成した被係合部５１ｃが筐体２０の外面２０ａに形成した転写具係合部２０ｂに着脱自在に係合されて外部に露出した状態で設置されている。
【００５０】
ここでは、テープ糊カセット５０の幅寸法が用紙Ｐの幅寸法に対して幅狭く形成され、且つ、カセットケース５１の長さが長く形成されており、用紙Ｐの幅方向の一方の端部側（例えば右端部側）に設置されている。
【００５１】
そして、カセットケース５１の先端部５１ａに形成した先端開口部５１ｂから外部に露出した転写ローラ５５にテープ糊５４を巻き付けながらこの転写ローラ５５が印刷手段３０により印刷された印刷済みの用紙Ｐと対向してこの用紙Ｐに接触可能に設置されている。
【００５２】
また、上記した用紙搬送ローラ６０は、用紙Ｐの幅方向に沿って転写ローラ５５よりも図示手前側に設置されている。更に、用紙搬送ローラ６０は、不図示のスライド部材及びバネを介して第２プラテンローラ７５上の用紙Ｐの幅方向における転写ローラ５５が接離する部位を除いた部位を常時圧接しているので、回転駆動される第２プラテンローラ７５と用紙搬送ローラ６０との間で用紙Ｐを挟持しながらこの用紙Ｐを用紙搬送方向の下流側に向かって搬送可能になっている。
【００５３】
また、筐体２０内には、第２プラテンローラ（粘着剤転写用プラテンローラ）７４を転写ローラ５５に接離させる手段として、粘着剤転写用プラテンローラ揺動押圧手段７０と押圧力切り換え手段８０とが設置されている。
【００５４】
上記した粘着剤転写用プラテンローラ揺動押圧手段７０では、長尺な揺動アーム７１の一端側を軸支した支点軸７２を揺動支点とし、且つ、一端側と反対の他端側に第３パルスモータ７３に連結された不図示の第３減速ギア列を介して第２プラテンローラ（粘着剤転写用プラテンローラ）７５が回転自在に取り付けられている。
【００５５】
この際、上記した第２プラテンローラ７５は、用紙Ｐの幅方向に沿って長尺に形成されており、且つ、用紙Ｐを挟んでテープ糊カセット５０の転写ローラ５５と用紙搬送ローラ６０とに対向している。
【００５６】
そして、第２プラテンローラ７５を介して転写ローラ５５に押圧力を印加したときに、転写ローラ５５と第２プラテンローラ７５との間で用紙Ｐ及びテープ糊５４（５４-１，５４-２）を挟持搬送することができるようになっている。
【００５７】
また、揺動アーム７１は、このアーム７１と不図示の固定部との間に圧縮バネ７６が掛止された状態で押圧力切り換え手段８０の駆動により揺動可能になっている。
【００５８】
上記した押圧力切り換え手段８０では、第４パルスモータ８１に連結された不図示の第４減速ギア列を介して回転軸８３と一体に回転する偏心カム８４が揺動アーム７１に当接している。そして、揺動アーム７１は、偏心カム８４の回転により支点軸７２を中心にして時計方向又は反時計方向に揺動自在に支持されている。
【００５９】
この際、偏心カム８４は、第２プラテンローラ７５の転写ローラ５５への押圧力を強い第１の押圧力に設定する大径部８４ａと、第２プラテンローラ７５の転写ローラ５５への押圧力を第１の押圧力よりも弱い第２の押圧力に設定する中径部８４ｂと、第２プラテンローラ７５の転写ローラ５５への押圧力を印加しない小径部８４ｃとを有している。
【００６０】
そして、偏心カム８４が回転軸８３を中心にして回転する動作に伴って、大径部８４ａ，中径部８４ｂ，小径部８４ｃが揺動アーム７１にそれぞれ当接したときに、揺動アーム７１の揺動位置が可変されるようになっているが、偏心カム８４の動作については後述する。
【００６１】
尚、押圧力切り換え手段８０において、揺動アーム７１を揺動させて第２プラテンローラ７５の転写ローラ５５への押圧力を切り換える機構として回転自在な偏心カム８４を用いたが、偏心カム８４に代えて回転軸８３を中心にして回転する不図示の偏心ピンを用いても良い。
【００６２】
更に、メモプリンタ１０を全体的に制御する制御部９０が、筐体２０内の適宜な場所に設置されている。
【００６３】
また、制御部９０は、外部のパソコンＰＣに接続されており、パソコンＰＣから用紙Ｐを印刷するときの印刷情報として印刷される用紙Ｐの前端部Ｐｓ及び後端部Ｐｅの各位置情報（又は、用紙Ｐの長さ情報）やメモ情報とか、テープ糊５４（５４−１，５４−２）の転写パターン情報などが送られている。
【００６４】
上記した制御部９０は、この内部にＣＰＵ９０ａと、ＲＯＭ９０ｂと、ＲＡＭ９０ｃと、カウンタ９０ｄとを有している。
【００６５】
そして、制御部９０内のＣＰＵ９０ａは、印刷手段３０と、切断手段４０と、粘着剤転写用プラテンローラ揺動押圧手段７０と、押圧力切り換え手段８０とをそれぞれ制御している。
【００６６】
また、制御部９０内のＲＯＭ９０ｂは、メモプリンタ１０の動作プログラムなどを格納している。
【００６７】
また、制御部９０内のＲＡＭ９０ｃは、メモプリンタ１０内で変更可能な各種の情報をパソコンＰＣを介して一時的に記憶している。この際、変更可能な各種の情報として、用紙Ｐへの印刷情報や、先に図２，図３を用いて説明したテープ糊５４-１，５４-２の第１，第２転写パターン情報や、用紙Ｐの前端部Ｐｓ及び後端部Ｐｅの各位置情報（又は、用紙Ｐの長さ情報）や、後述の図７，図８で説明するテープ糊５４-１，５４-２上での押圧力切り換え位置５４ｎや、後述するように偏心カム８４の中径部８４ｂを検出するためのパルス情報などを記憶している。
【００６８】
また、制御部９０内のカウンタ９０ｄは、印刷手段３０による用紙Ｐへの印刷時に、印刷を開始したときにパソコンＰＣにより指定された用紙Ｐの前端部Ｐｓを印刷開始基準位置として、この印刷開始基準位置を基準として第１パルスモータ３２のパルスを計数している。
【００６９】
これにより、用紙Ｐの前端部Ｐｓが印刷開始基準位置から転写ローラ５５に達するまでの間を計数でき、且つ、転写時に必要な位置情報を第１パルスモータ３２のパルス数の計数により取得している。
【００７０】
上記から印刷時に設定される用紙Ｐの搬送方向の前端部Ｐｓ及び後端部Ｐｅの各位置情報を取得する第１の位置情報取得手段はパソコンＰＣ（図４）である。また、テープ糊５４-１，５４-２の糊付着領域部５４ａ及び基材領域部５４ｂのパターン位置情報を取得する第２の位置情報取得手段は制御部９０（図４）のＲＡＭ９０ｃである。
【００７１】
そして、後述するように、制御部９０は、用紙Ｐの前端部Ｐｓ側に対して第２プラテンローラ７５の転写ローラ５５への押圧開始タイミングと、押圧力切り換えタイミングをＣＰＵ９０ａで算出して各タイミング時にそれぞれ制御するようになっている。
【００７２】
ここで、上記のように構成した本発明に係るメモプリンタ１０の動作において、図４に示す如く、ロール状の用紙Ｐに糊（粘着剤）を転写する場合に、まず、ロール状の用紙Ｐを印刷手段３０内のサーマルヘッド３１と、時計方向に回転している第１プラテンローラ３３とで挟持搬送しながらサーマルヘッド３１によりメモなどの情報を図５に示したように用紙Ｐの表面Ｐａ上に印刷する。
【００７３】
この際、パソコンＰＣから指定された用紙Ｐの前端部Ｐｓ側の印刷開始タイミング、又は、用紙Ｐの前端部Ｐｓに必要に応じて形成された頭出しマークＭ（図５）を光反射型センサ３４で検出したときのタイミングを基準にして、制御部９０のＲＡＭ９０ｃ内に格納されたメモ情報を読み出して印刷している。
【００７４】
そして、印刷済みの用紙Ｐがテープ糊カセット５０の転写ローラ５５に到達する直前に、押圧力切り換え手段８０の偏心カム８４を回転させて、偏心カム８４による第２プラテンローラ７５の転写ローラ５５への押圧力を、先に図２，図３を用いて説明したテープ糊５４−１，５４−２の第１，第２転写パターンに応じて選択的に切り換えることにより、テープ糊５４−１，５４−２の第１，第２転写パターンの転写時に、一つ以上の糊付着領域部（粘着剤付着領域部）５４ａの最終端位置近傍で生じる糊切れを抑制しており、この理由について、先に説明した図２〜図４と、新たな図６〜図８とを用いて説明する。
【００７５】
図６は図４に示した偏心カムによる粘着剤転写用プラテンローラ（第２プラテンローラ）の転写ローラへの押圧力を切り換える第１〜第３態様を拡大して示している。また、図７は用紙の裏面上に粘着剤テープ（テープ糊）の第１転写パターンを転写するときに、一つ以上の粘着剤付着領域部（糊付着領域部）の最終端位置近傍で生じる糊切れを抑制する動作を示している。更に、図８は用紙の裏面上に粘着剤テープ（テープ糊）の第２転写パターンを転写するときに、一つの粘着剤付着領域部（糊付着領域部）の最終端位置近傍で生じる糊切れを抑制する動作を示している。
【００７６】
まず、図２，図３に示したテープ糊５４-１，５４-２上の糊付着領域部５４ａと用紙Ｐとの間の摩擦係数μ１は、テープ糊５４-１，５４-２上の基材領域部５４ｂと用紙Ｐとの間の摩擦係数μ２よりも大（μ１＞μ２）である。
【００７７】
また、テープ糊５４-１，５４-２を供給リール５２から引き出すときに、この供給リール５２と大径ギア５２ａとの間で同軸上に設けた不図示の摩擦板によるテープ糊５４-１，５４-２のバックテンションをＴｂとし、第２プラテンローラ７５が用紙Ｐ及びテープ糊５４-１，５４-２上の糊付着領域部５４ａを介して転写ローラ５５を押圧するときの強い第１の押圧力をＮ１とすると、テープ糊５４-１，５４-２が巻取リール５３に巻き取られる条件１は、Ｔｂ＜μ１×Ｎ１となり、このときに転写ローラ５５は大きな摩擦係数μ１及び強い第１の押圧力Ｎ１により回転しながらテープ糊５４-１，５４-２を巻取リール５３側に送ることができる。
【００７８】
一方、テープ糊５４-１，５４-２のバックテンションをＴｂとし、第２プラテンローラ７５が用紙Ｐ及びテープ糊５４-１，５４-２上の基材領域部５４ｂを介して転写ローラ５５を押圧するときの弱い第２の押圧力をＮ２とすると、用紙Ｐは搬送するが、テープ糊５４-１，５４-２を巻取リール５３に巻き取らない条件２は、Ｔｂ＞μ２×Ｎ２となり、このときに転写ローラ５５は摩擦係数μ１よりも小さい摩擦係数μ２及び第１の押圧力Ｎ１よりも弱い第２の押圧力Ｎ２により回転を停止するので、テープ糊５４-１，５４-２を巻取リール５３側に送ることができない。
【００７９】
そこで、制御部９０を介して粘着剤転写用プラテンローラ揺動押圧手段７０内で押圧力切り換え手段８０の偏心カム８４を回転させる態様は、図６に示すように３通りの第１〜第３態様がある。尚、図６（ａ）〜（ｃ）中では、テープ糊５４-１を用いた場合を図示している。
【００８０】
まず、図６（ａ）に示した偏心カム８４の第１態様は、上記した条件１に基づいている。この偏心カム８４の第１態様では、制御部９０の指令により押圧力切り換え手段８０内に設けた第４パルスモータ８１を始動して、この第４パルスモータ８１の回転を減速ギア列８２で減速して回転軸８３を回転させて、偏心カム８４の大径部８４ａが粘着剤転写用プラテンローラ揺動押圧手段７０内に設けた揺動アーム７１に当接したら回転を止めると、揺動アーム７１が一端側の支点軸７２（図４）を中心にして時計方向に揺動する。
【００８１】
この際、偏心カム８４の大径部８４ａの揺動アーム７１への当接位置は、偏心カム８４と一体的に回転軸８３に取り付けた半円板状遮蔽板８５の一端側切欠部を光透過型センサ８６で検出しており、この検出結果を制御部９０（図４）に知らせている。
【００８２】
そして、偏心カム８４の大径部８４ａが揺動アーム７１に当接したときに、揺動アーム７１の揺動位置により圧縮バネ７６の付勢力が最大になるので、第２プラテンローラ７５が用紙Ｐ及びテープ糊５４-１を介して転写ローラ５５を強い第１の押圧力Ｎ１で押圧するために、転写ローラ５５の回転に伴ってテープ糊５４-１上の糊付着領域部５４ａ及び基材領域部５４ｂを巻取リール５３側に送ることができると共に、用紙Ｐは転写ローラ５５及び用紙搬送ローラ６０によって糊を転写する場合の用紙搬送路ＰＫ１に沿って用紙搬送方向の下流側に搬送される。
【００８３】
次に、図６（ｂ）に示した偏心カム８４の第２態様は、上記した条件２に基づいている。
【００８４】
この偏心カム８４の第２態様では、例えば、偏心カム８４の大径部８４ａが揺動アーム７１に当接したときの位置を基準位置に設定した場合に、この基準位置に対して偏心カム８４を５５°〜６０°程度時計方向に回転させて、偏心カム８４の中径部８４ｂが揺動アーム７１に当接したら回転を止めると、揺動アーム７１が一端側の支点軸７２（図４）を中心にして基準位置よりも反時計方向に少し揺動する。
【００８５】
尚、上記した基準位置は、偏心カム８４の小径部８４ｃが揺動アーム７１に当接したときの位置を基準位置に設定しても良い。
【００８６】
この際、偏心カム８４の中径部８４ｂの揺動アーム７１への当接位置は、光透過型センサ８６が１個のために半円板状遮蔽板８５では検出できない。そこで、偏心カム８４の大径部８４ａが揺動アーム７１に当接した基準位置と中径部８４ｂとの間の間隔が予め設定した第４パルスモータ８１のパルス数になるまで制御部９０（図４）のカウンタ９０ｄにより計数することで検出しているが、これに限ることなく、半円板状遮蔽板８５及び光透過型センサ８６を各２個設けることでも検出できる。
【００８７】
そして、偏心カム８４の中径部８４ｂが揺動アーム７１に当接したときに、揺動アーム７１の揺動位置により圧縮バネ７６の付勢力が最大値よりも弱くなるので、第２プラテンローラ７５が用紙Ｐ及びテープ糊５４-１を介して転写ローラ５５を第１の押圧力Ｎ１よりも弱い第２の押圧力Ｎ２で押圧するために、転写ローラ５５がテープ糊５４-１上の基材領域部５４ｂに至ったときに転写ローラ５５の回転が止まるので、テープ糊５４-１を巻取リール５３側に送ることができないが、用紙Ｐは転写ローラ５５及び用紙搬送ローラ６０によって糊を転写する場合の用紙搬送路ＰＫ１に沿って用紙搬送方向の下流側に搬送される。
【００８８】
次に、図６（ｃ）に示した偏心カム８４の第３態様では、偏心カム８４の大径部８４ａが揺動アーム７１に当接した位置を基準位置に設定した場合に、この基準位置に対して偏心カム８４を略１８０°程度時計方向に回転させて、偏心カム８４の小径部８４ｃが揺動アーム７１に当接したら回転を止めると、揺動アーム７１が一端側の支点軸７２（図４）を中心にして基準位置よりも反時計方向に大幅に揺動するので、第２プラテンローラ７５は転写ローラ５５側から離間する。
【００８９】
この際、偏心カム８４の小径部８４ｃの揺動アーム７１への当接位置は、偏心カム８４と一体的に回転軸８３に取り付けた半円板状遮蔽板８５の一端側切欠部とは１８０°反対側に位置する他端側切欠部を光透過型センサ８６で検出しており、この検出結果を制御部９０（図４）に知らせている。
【００９０】
そして、偏心カム８４の小径部８４ｃが揺動アーム７１に当接したときに、揺動アーム７１の揺動位置により圧縮バネ７６の付勢力が最小になるが、第２プラテンローラ７５が転写ローラ５５側から離間しているためにテープ糊５４−１を巻取リール５３側に送ることができないものの、用紙Ｐは第２プラテンローラ７５と用紙搬送ローラ６０とによって糊を転写しない場合の用紙搬送路ＰＫ２に沿って用紙搬送方向の下流側に搬送される。
【００９１】
従って、第２プラテンローラ７５の転写ローラ５５への接離動作に追従して第２プラテンローラ７５側に圧接する用紙搬送ローラ６０は、印刷済みの用紙Ｐを転写ローラ５５に接触させる第１の用紙経路（糊を転写する場合の用紙経路）ＰＫ１と、印刷済みの用紙Ｐを転写ローラ５５から離間させる第２の用紙経路（糊を転写しない場合の用紙経路）ＰＫ２とに用紙経路を切り替える機能を有すると共に、第２プラテンローラ７５と協働して用紙Ｐを搬送する機能を備えていることになる。
【００９２】
これにより、用紙Ｐ上にテープ糊５４（５４−１，５４−２）に付着した糊を転写するときは勿論のこと、用紙上にテープ糊５４（５４−１，５４−２）に付着した糊を転写しない場合でも用紙Ｐを下流側に確実に搬送することができると共に、切断した後の用紙Ｐも下流側に確実に搬送することができる。
【００９３】
ここで、図６（ａ），（ｂ）に示した偏心カム８４の第１，第２態様を利用して、図７，図８に示す如く、テープ糊５４−１，５４−２の第１，第２転写パターンの転写時に、一つ以上の糊付着領域部（粘着剤付着領域部）５４ａの最終端位置近傍で生じる糊切れを抑制する動作について説明する。
【００９４】
まず、図７に示す如く、印刷済みの用紙Ｐの裏面Ｐｂの右端側にテープ糊５４−１の第１転写パターンを転写する場合に、先に図２を用いて説明したと同様に、用紙Ｐの前端部Ｐｓと後端部Ｐｅとの間に設定される所望の長さＬ内にテープ糊５４−１上の糊付着領域部５４ａと基材領域部５４ｂとが用紙搬送方向に沿って交互に複数回繰り返して配置されるようにパソコンＰＣ又は制御部９０を介して指令される。
【００９５】
この際、テープ糊５４−１上で用紙Ｐの前端部Ｐｓ側に一つ以上の糊付着領域部５４ａの最先端位置５４ｓが設定され、且つ、用紙Ｐの搬送方向の後端部Ｐｅ側に一つ以上の糊付着領域部５４ａの最終端位置５４ｅが設定されていると共に、この一つ以上の糊付着領域部５４ａの最終端位置５４ｅと用紙Ｐの後端部Ｐｅとの間に必ず基材領域部５４ｂが配置される。尚、用紙Ｐの前端部Ｐｓと、テープ糊５４−１上の一つ以上の糊付着領域部５４ａの最先端位置５４ｓとが一致する場合もあり得る。
【００９６】
更に、用紙Ｐの後端部Ｐｅを含んで配置される基材領域部５４ｂの直前に位置する最終回目の糊付着領域部５４ａ中に、第２プラテンローラ７５の転写ローラ５５への押圧力を切り換える押圧力切り換え位置５４ｎが設定されるが、この押圧力切り換え位置５４ｎは最終回目の糊付着領域部５４ａ中であればいかなる位置でも良い。
【００９７】
上記から、制御部９０（図４）は、用紙Ｐへの糊の転写時に、先に述べた第１，第２の位置情報取得手段からの各位置情報に基づいてテープ糊５４−１の基材領域部５４ｂが用紙Ｐの後端部Ｐｅを含んで配置されるように用紙Ｐの前端部Ｐｓ側に対して第２プラテンローラ７５（図４）の転写ローラ５５（図４）への押圧開始タイミングを制御し、且つ、用紙Ｐの後端部Ｐｅを含んで配置される基材領域部５４ｂの直前の粘着剤付着領域部５４ａ中に押圧力切り換え位置５４ｎを設定した上で、上記した押圧開始タイミングで転写ローラ５５に第１の押圧力Ｎ１を印加し、押圧力切り換え位置５４ｎから第１の押圧力Ｎ１よりも弱い第２の押圧力Ｎ２に切り換えるように押圧力切り換え手段８０（図４，図６）を制御している。
【００９８】
即ち、用紙Ｐの前端部Ｐｓ又はテープ糊５４−１上の一つ以上の糊付着領域部５４ａの最先端位置５４ｓから最終回目の糊付着領域部５４ａ中に設定した押圧力切り換え位置５４ｎまでの区間において、制御部９０は先に図６（ａ）を用いて説明したように偏心カム８４に対して第１態様を取るように制御して、第２プラテンローラ７５の転写ローラ５５への押圧力を強い第１の押圧力Ｎ１にしている。
【００９９】
これにより、第２プラテンローラ７５と転写ローラ５５との間で用紙Ｐ及びテープ糊５４−１を強い第１の押圧力Ｎ１で挟持搬送しているときに、テープ糊５４−１を巻取リール５３側に送ることができ、且つ、用紙Ｐを下流側に搬送できる。
【０１００】
一方、テープ糊５４−１上の押圧力切り換え位置５４ｎが転写ローラ５５に至ったときに、制御部９０は先に図６（ｂ）を用いて説明したように偏心カム８４に対して第２態様を取るように切り換え制御して、第２プラテンローラ７５の転写ローラ５５への押圧力を第１の押圧力Ｎ１よりも弱い第２の押圧力Ｎ２に切り換えている。
【０１０１】
そして、第２プラテンローラ７５と転写ローラ５５との間で用紙Ｐ及びテープ糊５４−１を弱い第２の押圧力Ｎ２で挟持搬送しながら最終回目の糊付着領域部５４ａの最終端位置５４ｅが転写ローラ５５に至ると、用紙Ｐの後端部Ｐｅの近傍に配置したテープ糊５４−１上の基材領域部５４ｂが現れるために、ここで先に図６（ｂ）を用いて説明したように転写ローラ５５の回転が停止する。
【０１０２】
これにより、テープ糊５４−１が巻取リール５３に送られないが、用紙Ｐの後端部Ｐｅを含んで配置される基材領域部５４ｂの直前の糊付着領域部５４ａの最終端位置５４ｅの近傍で糊が糸を引くことなく転写が終了するので糊切れを抑制できる。
【０１０３】
更に、テープ糊５４−１を用いて用紙Ｐ上に糊を転写するときに、センサを用いることなく、制御部９０により用紙Ｐへの糊転写開始タイミングを設定できるので、テープ糊５４−１を次回使用する際にも、用紙Ｐの前端部Ｐｓ側（頭出し位置）から一つ以上の粘着剤付着領域部５４ａを第１の押圧力で印加できる。
【０１０４】
上記のようにして刷済みの用紙Ｐの裏面Ｐｂ上にテープ糊５４−１の第１転写パターンを転写して、用紙搬送方向に所望の長さＬで切断して作成した付箋紙などの印刷物を不図示の被接着体上に貼り付け、その後、不要となった印刷物を被接着体から取り外したときに、テープ糊５４−１の第１転写パターン上の糊は接着能力が比較的弱く何回も剥離できる弱粘着性を有しているために、印刷物上に転写した糊が被接着体上に取り残されないので、被接着体上に汚れが発生しない。これにより、使用勝手の良い付箋紙などの印刷物を作成できるメモプリンタ１０を安価に提供できる。
【０１０５】
次に、図８に示す如く、印刷済みの用紙Ｐの裏面Ｐｂの右端側にテープ糊５４−２の第２転写パターンを転写する場合に、先に図３を用いて説明したと同様に、用紙Ｐの前端部Ｐｓと後端部Ｐｅとの間に設定される所望の長さＬ内にテープ糊５４−２上の糊付着領域部５４ａが一つと、一つ又は二つの基材領域部５４ｂだけで、複数回の繰り返しがなく配置されるようにパソコンＰＣ又は制御部９０を介して指令される。
【０１０６】
この際、テープ糊５４−２上で用紙Ｐの搬送方向の前端部Ｐｓ側に一つの糊付着領域部５４ａの最先端位置５４ｓが設定され、且つ、用紙Ｐの搬送方向の後端部Ｐｅ側に一つの糊付着領域部５４ａの最終端位置５４ｅが設定されていると共に、この最終端位置５４ｅと用紙Ｐの後端部Ｐｅとの間には必ず基材領域部５４ｂが配置されている。尚、用紙Ｐの前端部Ｐｓと、テープ糊５４−２上の一つの糊付着領域部５４ａの最先端位置５４ｓとが一致する場合もあり得る。
【０１０７】
更に、用紙Ｐの後端部Ｐｅを含んで配置される基材領域部５４ｂの直前に位置する一つの糊付着領域部５４ａ中に、第２プラテンローラ７５の転写ローラ５５への押圧力を切り換える押圧力切り換え位置５４ｎが設定されているが、この押圧力切り換え位置５４ｎは一つの糊付着領域部５４ａ中であればいかなる位置でも良い。
【０１０８】
上記から、制御部９０（図４）は、図７で説明したと同様な手法によりに制御している。
【０１０９】
そして、用紙Ｐの前端部Ｐｓ又はテープ糊５４−２上の一つの糊付着領域部５４ａの最先端位置５４ｓから一つの糊付着領域部５４ａ中に設定した押圧力切り換え位置５４ｎまでの区間において、制御部９０は先に図６（ａ）を用いて説明したように偏心カム８４に対して第１態様を取るように制御して、第２プラテンローラ７５と転写ローラ５５との間で用紙Ｐ及びテープ糊５４−２を強い第１の押圧力Ｎ１で挟持搬送しているので、テープ糊５４−２を巻取リール５３側に送ることができ、且つ、用紙Ｐを下流側に搬送できる。
【０１１０】
一方、テープ糊５４−２上の押圧力切り換え位置５４ｎが転写ローラ５５に至ったときに、制御部９０は先に図６（ｂ）を用いて説明したように偏心カム８４に対して第２態様を取るように切り換え制御して、第２プラテンローラ７５の転写ローラ５５への押圧力を第１の押圧力Ｎ１よりも弱い第２の押圧力Ｎ２に切り換えている。そして、第２プラテンローラ７５と転写ローラ５５との間で用紙Ｐ及びテープ糊５４−２を弱い第２の押圧力Ｎ２で挟持搬送しながら一つの糊付着領域部５４ａの最終端位置５４ｅが転写ローラ５５に至ると、用紙Ｐの後端部Ｐｅの近傍に配置したテープ糊５４−２上の基材領域部５４ｂが現れるために、ここで先に図６（ｂ）を用いて説明したように転写ローラ５５の回転が停止する。
【０１１１】
これにより、テープ糊５４−２が巻取リール５３に送られないが、用紙Ｐの後端部Ｐｅを含んで配置される基材領域部５４ｂの直前の糊付着領域部５４ａの最終端位置５４ｅの近傍で糊が糸を引くことなく転写が終了するので糊切れを抑制できる。
【０１１２】
更に、テープ糊５４−２を用いて用紙Ｐ上に糊を転写するときに、センサを用いることなく、制御部９０により用紙Ｐへの糊転写開始タイミングを設定できるので、テープ糊５４−２を次回使用する際にも、用紙Ｐの前端部Ｐｓ側（頭出し位置）から一つの粘着剤付着領域部５４ａを第１の押圧力で印加できる。
【０１１３】
上記のようにして印刷済みの用紙Ｐの裏面Ｐｂ上にテープ糊５４−２の第２転写パターンを転写して、用紙搬送方向に所望の長さＬで切断して作成した付箋紙などの印刷物を不図示の被接着体上に貼り付け、その後、不要となった印刷物を被接着体から取り外したときに、テープ糊５４−２の第２転写パターン上の糊は接着能力が比較的弱く何回も剥離できる弱粘着性を有しているために、印刷物上に転写した糊が被接着体上に取り残されないので、被接着体上に汚れが発生しない。これにより、使用勝手の良い付箋紙などの印刷物を作成できるメモプリンタ１０を安価に提供できる。
【符号の説明】
【０１１４】
１０…メモプリンタ、
２０…筐体、２０ａ…外面、２０ｂ…転写具係合部、２０ｃ…ロール紙装填部、
３０…印刷手段、３１…サーマルヘッド、３２…第１パルスモータ、
３３…印刷用プラテンローラ（第１プラテンローラ）、
４０…切断手段、４１…第２モータ、４２…可動カッター、４３…固定カッター、
５０…粘着剤転写具（テープ糊カセット）、
５１…カセットケース、５１ａ…先端部、５１ｂ…先端開口部、５１ｃ…被係合部、
５２…供給リール、５３…巻取リール、
５４…粘着剤テープ（テープ糊）、
５４−１…第１転写パターンを採用した粘着剤テープ（テープ糊）、
５４−２…第２転写パターンを採用した粘着剤テープ（テープ糊）、
５４ａ…粘着剤付着領域部（糊付着領域部）、５４ｂ…基材領域部、
５４ｓ…一つ以上の粘着剤付着領域部（糊付着領域部）の最先端位置、
５４ｅ…一つ以上の粘着剤付着領域部（糊付着領域部）の最終端位置、
５４ｎ…押圧力切り換え位置、
５５…転写ローラ、６０…用紙搬送ローラ、
７０…粘着剤転写用プラテンローラ揺動押圧手段、
７１…揺動アーム、７２…支点軸、７３…第３パルスモータ、
７５…粘着剤転写用プラテンローラ（第２プラテンローラ）、７６…圧縮バネ、
８０…押圧力切り換え手段、
８１…第４パルスモータ、８２…減速ギア列、８３…回転軸、
８４…偏心カム、８４ａ…大径部、８４ｂ…中径部、８４ｃ…小径部、
８５…半円板状遮蔽板、８６…光透過型センサ、
９０…制御部、９０ａ…ＣＰＵ、９０ｃ…ＲＡＭ、９０ｄ…カウンタ、
Ｐ…用紙、Ｐａ…表面、Ｐｂ…裏面、Ｐｓ…前端部、Ｐｅ…後端部、
ＰＫ１…糊を転写する場合の用紙経路、
ＰＫ２…糊を転写しない場合の用紙経路。
【図１】
2015044599.tif 000003
【図２】
2015044599.tif 000004
【図３】
2015044599.tif 000005
【図４】
2015044599.tif 000006
【図５】
2015044599.tif 000007
【図６】
2015044599.tif 000008
【図７】
2015044599.tif 000009
【図８】
2015044599.tif 000010